(57)【要約】【課題】利便性を向上させる。電話機に付加価値を付ける。【解決手段】液晶画面付きの固定電話機、または、携帯電話機において、その受話部１１２に赤外線センサ１０７を内蔵し、通話時と同様に受話部１１２を利用者１の耳２に密着させることにより、鼓膜３及びその周辺から発する赤外線を検出し、体温を計測する。計測された体温は、電話機本体の液晶画面に表示し、目視、及び音声にて確認可能とし、状態によって外部組織などに連絡を行う。【選択図】  図２
2013005975.tif 000002
【特許請求の範囲】
【請求項１】
利用者の耳に密着される受話部に内蔵された赤外線センサと、
前記赤外線センサによって検出される前記利用者の鼓膜およびその周辺から発せられる赤外線に基づいて前記利用者の体温を測定する体温測定手段と、
前記体温測定手段によって測定された体温を液晶画面に表示する表示手段と、
前記体温測定手段によって測定された体温を音声変換し音声により通知する通知手段と
を備えることを特徴とする赤外線センサ付電話機。
【請求項２】
請求項１に記載された赤外線センサ付電話機において、
前記体温測定手段によって測定された体温を体温データとして通信回線を通じて送信するデータ送信手段
を備えることを特徴とする赤外線センサ付電話機。
【請求項３】
請求項２に記載された赤外線センサ付電話機と、
この赤外線センサ付電話機から送信されてくる体温データを受信するデータ受信手段と、
前記データ受信手段によって受信された体温データをもとにその体温データに合わせた健康情報を生成し前記赤外線センサ付電話機に返信する健康情報返信手段と
を備えることを特徴とする健康管理サービスシステム。
【請求項４】
請求項３に記載された健康管理サービスシステムにおいて、
前記データ受信手段によって受信された体温データに基づいて、前記利用者の健康状態を判断し、異常状態を検出した場合、前記利用者と前記利用者が登録した人へその異常状態に合わせた健康情報を送信する個人宛健康情報送信手段
を備えることを特徴とする健康管理サービスシステム。
【請求項５】
請求項３又は４に記載された健康管理サービスシステムにおいて、
前記データ受信手段によって受信された体温データに基づいて、前記利用者の健康状態を判断し、異常状態を検出した場合、前記利用者が登録した医療機関へその異常状態に合わせた健康情報を送信する機関宛健康情報送信手段
を備えることを特徴とする健康管理サービスシステム。
【発明の詳細な説明】
【技術分野】
【０００１】
この発明は、利用者の体温を測定する機能を備えた赤外線センサ付電話機およびこの赤外線センサ付電話機を利用した健康管理サービスシステムに関するものである。
【背景技術】
【０００２】
健康管理の面から、体調の異常を感じた場合、まず体温を測定する行動がみられる。体温測定に用いられる体温計には、測定場所や測定方法によって、実測式、予測式、耳式などがあり、年齢や状況に応じて利用者に自由に選択されている。中でも、身体中心部に近い体温を測定でき、測定時間が短いことから耳式体温計が多数提供されている。
【０００３】
耳式体温計は、プローブと呼ばれる部分を耳内に挿入し、検出部を鼓膜に垂直に向けることで、鼓膜、及び、その周辺から発する赤外線を検出し、測定した結果を液晶画面に表示し、目視で確認することにより体温測定が行われる（例えば、特許文献１，２，３参照）。
【先行技術文献】
【特許文献】
【０００４】
【特許文献１】特開２００２−３３６２０５号公報
【特許文献２】特開２００３−６１９１６号公報
【特許文献３】特開２００３−３０２２８４号公報
【特許文献４】特開２００５−３４５４７号公報
【特許文献５】特開２００８−１９４２５３号公報
【発明の概要】
【発明が解決しようとする課題】
【０００５】
しかしながら、耳内部の測定は、測定状態が確認しにくく、プローブの挿入角度や深度などの測定条件に違いが生じ易いため、測定値が安定せず、ばらつきがみられる。この測定値のばらつきは、高めにでることも低めにでることもあり、傾向がつかみにくい。
【０００６】
また、一般的な体温計は、高齢者や弱視者に対しては、測定結果の表示画面が小さく見にくいために誤読する可能性もある。
高齢化社会により、医療費の面からも個々の健康管理は重要である。
体温は、健康管理における健康状態の指標の一つではあるが、日々体温測定を測定値が安定するように実施し、記録を行うことは、特に高齢者にとっては手間のかかる作業であった。
【０００７】
さらに、体温測定により異常状態が検出されたとしても、その情報を医療機関に提供するのは利用者の意思によるものであり、異常状態が検出された時点で、適切なアドバイスや、医療行為が受けられるとは限らない。
高齢化社会により、一人暮らし世帯の増加が見込まれ、健康管理とともに医療機関との連携が必要となっていくことが予想される。
【０００８】
なお、先行技術として、引用文献４に示されているような、腕時計で測定したデータを携帯電話機に送信し、携帯電話機からインターネットを介してデータを受け取る方法、また、引用文献５に示されているような、便座に座ることで体温測定するものもあるが、前者は常に腕時計を携帯している必要があること、また，後者は自宅以外の場所では体温測定が不可能であることなど、いずれも利便性に欠けるものであった。
【課題を解決するための手段】
【０００９】
このような課題を解決するために、本発明に係る赤外線センサ付電話機（請求項１）は、利用者の耳に密着される受話部に内蔵された赤外線センサと、赤外線センサによって検出される利用者の鼓膜およびその周辺から発せられる赤外線に基づいて利用者の体温を測定する体温測定手段と、体温測定手段によって測定された体温を液晶画面に表示する表示手段と、体温測定手段によって測定された体温を音声変換し音声により通知する通知手段とを備えることを特徴とする。
【００１０】
本発明に係る赤外線センサ付電話機において、体温の測定に用いる赤外線センサは、体温の測定に必要な赤外線の検出が可能なセンサであればどのようなものでもよいが、例えば、耳からの体温測定に用いられている赤外放射体温計の主要な構成要素であるサーモバイル型赤外線センサを用いることができる。
【００１１】
また、本発明に係る赤外線センサ付き電話機は、固定電話機，携帯電話機などの区別はなく、受話部に赤外線センサを内蔵していれば種類は限られない。本発明に係る赤外線センサ付き電話機を携帯電話機とすれば、自宅以外の場所でも体温測定が可能となる。
【００１２】
本発明の赤外線センサ付き電話機は、受話部を利用者の耳に密着させることにより、鼓膜、及び、その周辺から発せられる赤外線（熱線）を赤外線センサで検出し、その検出した赤外線に基づいて利用者の体温を測定する。
また、本発明の赤外線センサ付き電話機は、測定された体温を液晶画面に表示したり、音声変換し音声により通知したりする。
【００１３】
本発明の赤外線センサ付き電話機において、測定された体温の通知は、「液晶画面」、「音声」、「液晶画面と音声」の組み合わせが可能であり、利用者の状態や希望にあった表示方法を選択することができる。
【００１４】
なお、本発明の赤外線センサ付き電話機において、例えば、電話機本体にあらかじめ平熱などを入力しておき、測定値との温度差を認識し、「平熱時」、「微熱時」、「高熱時」に合わせて、液晶画面、音声など利用者が選択した方法で、警告などのメッセージを与えるようにすることも可能である。
また、一般に、電話機の液晶画面は体温計より面積が広く、この面積の広い電話機の液晶画面で測定された体温を表示したり、測定された体温を音声で確認することにより、誤認を避けることが可能になる。
【００１５】
また、本発明の赤外線センサ付き電話機（請求項２）は、体温測定手段によって測定された体温を体温データとして通信回線を通じて送信するデータ送信手段を備えることを特徴とする。送信された体温データは、受信側で、管理、活用される。
【００１６】
また、本発明の健康管理サービスシステム（請求項３）は、体温データを送信するデータ送信手段を備えた赤外線センサ付電話機と、この赤外線センサ付電話機から送信されてくる体温データを受信するデータ受信手段と、データ受信手段によって受信された体温データをもとにその体温データに応じた健康情報を生成し赤外線センサ付電話機に返信する健康情報返信手段とを備えることを特徴とする。例えば、登録されている平熱データと受診した体温データとの温度差を認識し、「平熱時」、「微熱時」、「高熱時」に合わせた健康情報を赤外線センサ付電話機に返信する。
【００１７】
また、本発明の健康管理サービスシステム（請求項４）は、データ受信手段によって受信された体温データに基づいて、利用者の健康状態を判断し、異常状態を検出した場合、利用者と利用者が登録した人へその異常状態に合わせた健康情報を送信する個人宛健康情報送信手段を備えることを特徴とする。例えば、登録されている平熱データと受信したデータとを比較することで利用者の健康状態を判断し、異常状態を検出した場合、利用者と利用者が登録した家族、友人、知人などへ、「微熱」、「高熱」などの状態に合わせた健康情報を送信する。
【００１８】
また、本発明の健康管理サービスシステム（請求項５）は、データ受信手段によって受信された体温データに基づいて、利用者の健康状態を判断し、異常状態を検出した場合、利用者が登録した医療機関へその異常状態に合わせた健康情報を送信する機関宛健康情報送信手段を備えることを特徴とする。例えば、登録されている平熱データと受信したデータとを比較することで利用者の健康状態を判断し、異常状態を検出した場合、利用者が登録した病院へ、「微熱」、「高熱」などの状態に合わせた健康情報を送信する。
【発明の効果】
【００１９】
本発明に係る赤外線センサ付電話機によれば、利用者の耳に密着される受話部に赤外線センサを内蔵し、この赤外線センサによって検出される利用者の鼓膜およびその周辺から発せられる赤外線に基づいて利用者の体温を測定するようにし、この測定された体温を液晶画面に表示したり、音声変換し音声により通知するようにしたので、電話機を利用する毎に利用者の体温が測定され、また携帯電話機とすることにより、自宅以外の場所でも体温測定が可能となり、電話機に付加価値が付けられると共に、利便性が格段に向上する。
また、従来の耳式体温計による測定に比べて、プローブ部分を耳内に挿入する必要がなく、受話部を耳に密着して測定するため、違和感がなく抵抗感が生じにくく、その密着度などに大きな個人差は生じにくいため、一定の条件で体温測定が実行でき、測定値にばらつきが減り、正確な体温測定が安易に実行でき、健康時との差が正確に得られる。
また、一般に、電話機の液晶画面は体温計より面積が広く、この面積の広い電話機の液晶画面で測定された体温を表示したり、測定された体温を音声で確認することにより、誤認を避けることが可能となる。
【００２０】
また、本発明に係る健康管理サービスシステムによれば、赤外線センサ付電話機から送信されてくる体温データを受信し、この受信された体温データをもとにその体温データに合わせた健康情報を生成し赤外線センサ付電話機に返信するようにしたので、体温データに合わせた適切なアドバイスを外部組織から利用者へ与えることが可能となる。
また、通信機器で測定するため、証跡が残り、情報通信により、健在の確認、健康管理、非常事態の医療機関との連携など、高齢化社会を支えることが可能となる。
【図面の簡単な説明】
【００２１】
【図１】本発明に係る赤外線センサ付き電話機の一実施の形態の要部を示すブロック図である。
【図２】この赤外線センサ付電話機の受話部を利用者の耳に密着した状態を示す図である。
【図３】この赤外線センサ付電話機（固定電話機）の外観図および測定値の通知状況を示す図である。
【図４】この赤外線センサ付電話機に通知方法の選択機能を持たせた場合の体温の測定結果を知らせる処理を説明するためのフローチャートである。
【図５】この赤外線センサ付電話機（携帯電話機）の外観図および測定値の通知状況を示す図である。
【図６】本発明に係る健康管理サービスシステムの一実施の形態の要部を示す図である。
【図７】この健康管理サービスシステムの具体的なシステム構成図である。
【図８】この健康管理サービスシステムで受けられる健康管理サービスを説明するためのフローチャートである。
【発明を実施するための形態】
【００２２】
以下、本発明の実施の形態を図面に基づいて詳細に説明する。先ず、本発明に係る赤外線センサ付電話機の実施の形態を説明し、次にこの赤外線センサ付電話機を利用した健康管理サービスシステムの実施の形態について説明する。これらの実施の形態は、本発明の最適な実施形態の例を示し、実施形態の個別の内容により本発明をなんら拘束するものではない。
【００２３】
〔赤外線センサ付電話機〕
図１は本発明に係る赤外線センサ付き電話機の一実施の形態の要部を示すブロック図である。この赤外線センサ付電話機１００は、制御部１０１と、記憶部１０２と、液晶画面１０３と、音声発生部（スピーカーなど）１０４と、表示部１０５と、音声変換部１０６と、赤外線センサ１０７と、体温換算部１０８と、通信部１０９と、外部入力部１１０とを備えており、記憶部１０２には制御部１０１と協働して各種機能を実現させるためのプログラムが格納されている。
【００２４】
この赤外線センサ付電話機１００において、赤外線センサ１０７は、図２に示すように、送受話器１１１の受話部１１２に内蔵されている。図３に赤外線センサ付電話機１００の外観図を示す。この赤外線センサ付電話機１００は固定電話機とされている。
【００２５】
〔体温測定〕
この赤外線センサ付電話機１００において、体温測定は、図２に示すように、送受話器１１１を取り上げ、受話部１１２を利用者１の耳２に密着させることによって行われる。この場合、受話部１１２を利用者１の耳２に密着させると、受話部１１２に内蔵されている赤外線センサ１０７によって利用者１の鼓膜３およびその周辺から発せられる赤外線（熱線）が検出される。この赤外線センサ１０７によって検出された赤外線は体温換算部１０８へ送られる。体温換算部１０８は、赤外線センサ１０７によって検出された赤外線の強度を、特許文献１〜３と同様の手法で、体温に換算する。
【００２６】
制御部１０１は、体温換算部１０８からの換算された体温、すなわち測定された体温を表示部１０５へ送り、液晶画面１０３に測定値として表示する。また、測定された体温を音声変換部１０６へ送り、音声変換させ、音声発生部１０４から測定値として音声により通知する。なお、この際、制御部１０１は、測定中に音声を流すなどして、受話部１１２を一定の時間、耳２に密着させるように促す。
【００２７】
これにより、赤外線センサ付電話機１００を利用する毎に、利用者１の体温が測定され、電話機１００に付加価値が付けられる。また、特許文献４のように腕時計を常に携帯する必要がなく、利便性が向上する。また、従来の耳式体温計による測定に比べて、プローブ部分を耳内に挿入する必要がなく、受話部１１２を耳２に密着して測定するため、違和感がなく抵抗感が生じにくく、その密着度などに大きな個人差は生じにくいため、一定の条件で体温測定が実行でき、測定値のばらつきが減り、正確な体温測定が安易に実行でき、健康時との差が正確に得られる。また、電話機１００の液晶画面１０３は体温計より面積が広く、この面積の広い電話機１００の液晶画面で測定された体温を表示したり、測定された体温を音声で確認することにより、誤認を避けることが可能となる。
【００２８】
なお、この例では、測定された体温（測定値）を液晶画面１０３に表示すると共に、音声発生部１０４から音声で通知するようにしたが、液晶画面１０３に表示させるのみとしたり、音声発生部１０４から音声で通知するのみとしてもよい。また、赤外線センサ付電話機１００の本体にあらかじめ平熱などを入力しておき、制御部１０１において測定値との温度差を認識し、「平熱時」、「微熱時」、「高熱時」に合わせて、液晶画面１０３での表示、音声発生部１０４からの音声など、利用者が選択した方法で警告などのメッセージを発するようにしてもよい。
【００２９】
図４に赤外線センサ付電話機１００に通知方法の選択機能を持たせた場合の体温の測定結果を知らせる処理のフローチャートを例示する。このフローチャートの実行に際し、利用者１は、平熱を測定し（ステップＳ１０１）、その測定した平熱を平熱データとして記憶部１０２に記憶させておく（ステップＳ１０２）。
【００３０】
この場合、赤外線センサ付電話機１００の制御部１０１は、通知方法が「画面表示」として指定されていれば、通知方法として「画面表示」を選択し（ステップＳ１０３，Ｓ１０４）、その選択された通知方法での体温の測定処理を行う（ステップＳ１０５〜Ｓ１０８）。測定処理では、ステップＳ１０５で体温測定を行い、ステップＳ１０６でその測定された体温を平熱データと照合する。そして、この平熱データとの照合結果、すなわち平熱値と測定値との温度差から、「平熱時」、「微熱時」、「高熱時」を含めて発熱の有無を判断し（ステップＳ１０７）、その結果を液晶画面１０３に表示する（ステップＳ１０８）。利用者１はその結果を確認する（ステップＳ１１９）。
【００３１】
また、通知方法が「画面表示／音声通知」として指定されていれば、制御部１０１は、通知方法として「画面表示／音声通知」を選択し（ステップＳ１０３，Ｓ１０９）、その選択された通知方法での体温の測定処理を行う（ステップＳ１１０〜Ｓ１１３）。この測定処理では、ステップＳ１１０で体温測定を行い、ステップＳ１１１でその測定された体温を平熱データと照合する。そして、この平熱データとの照合結果、すなわち平熱値と測定値の温度差から、「平熱時」、「微熱時」、「高熱時」を含めて発熱の有無を判断し（ステップＳ１１２）、その結果を液晶画面１０３に表示すると共に、音声発生部１０４から音声で通知する（ステップＳ１０８）。この例では、スピーカー又は受話器に音声通知を行う。利用者１はその結果を確認する（ステップＳ１１９）。
【００３２】
また、通知方法が「音声通知」として指定されていれば、制御部１０１は、通知方法として「音声通知」を選択し（ステップＳ１０３，Ｓ１１４）、その選択された通知方法での体温の測定処理を行う（ステップＳ１１５〜Ｓ１１８）。この測定処理では、ステップＳ１１５で体温測定を行い、ステップＳ１１６でその測定された体温を平熱データと照合する。そして、この平熱データとの照合結果、すなわち平熱値と測定値との温度差から、「平熱時」、「微熱時」、「高熱時」を含めて発熱の有無を判断し（ステップＳ１１７）、その結果を音声発生部１０４から音声で通知する（ステップＳ１０８）。この例では、スピーカー又は受話器に音声通知を行う。利用者１はその結果を確認する（ステップＳ１１９）。
【００３３】
なお、この実施の形態では、赤外線センサ付電話機１００を固定電話機としたが、携帯電話機としてもよい、図５に携帯電話機とした場合の図２に対応する図を示す。赤外線センサ付電話機１００を携帯電話機とした場合、自宅以外の場所でも体温測定が可能となり、利便性がさらに向上する。以下、携帯電話機と固定電話機とを区別するために、固定電話機とした赤外線センサ付電話機１００を１００Ａとし、携帯電話機とした赤外線センサ付電話機１００を１００Ｂとする
【００３４】
〔健康管理サービスシステム〕
図６は本発明に係る健康管理サービスシステムの一実施の形態の要部を示す図である。この健康管理サービスシステムにおいて、利用者１は、異常状態が生じた時の健康情報の第１の通知先として、家族，訪問看護，友人，知人など３００（以下、家族などの個人３００という）を健康管理サイト２００に登録する。また、異常状態が生じた時の健康情報の第２の通知先として、医療機関４００を健康管理サイト２００に登録する。また、異常状態が生じた時の健康情報の第２の通知先として、利用者１の所在地の近隣の病院やかかりつけ医など５００（以下、近隣病院など５００という）を登録する。
【００３５】
なお、この健康管理サービスシステムにおいて、医療機関４００は、前もって、このサービスに登録を協力し、その中から利用者１が選択した病院である。また、利用者１は、健康管理サイト２００に登録している利用者である。また、利用者１は、上述した通知先の登録に加えて、健康管理サイト２００に平熱などの個人情報も登録する。これらの登録は赤外線センサ付電話機１００（１００Ａ，１００Ｂ）を利用して行う。
【００３６】
図７にこの健康管理サービスシステムの具体的なシステム構成図を示す。利用者１が利用する赤外線センサ付電話機１００（１００Ａ，１００Ｂ）はネットワークＮＷ１を介して健康管理サイト２００と接続される。医療機関４００はネットワークＮＷ２を介して健康管理サイト２００と接続される。
【００３７】
健康管理サイト２００は、情報受信部２０１と、情報制御部２０２と、情報ＤＢ（データベース）２０３と、情報送信部２０４とを備え、医療機関４００は、情報受信部４０１と、情報制御部４０２と、情報ＤＢ（データベース）４０３と、情報表示部４０４と、連絡手段（電話など）４０４とを備え、健康管理サイト２００の情報送信部２０４からの情報がネットワークＮＷ２を介して医療機関４００の情報送信部４０１へ送られる。また、健康管理サイト２００の情報送信部２０４からの情報および医療機関４００の連絡手段４０５からの情報は、ネットワークＮＷ３を介して利用者１の赤外線センサ付電話機１００（１００Ａ，１００Ｂ）へ送られる。
【００３８】
家族などの個人３００は、情報受信端末３０１を所有しており、この情報受信端末３０１と健康管理サイト２００とがネットワークＮＷ２を介して接続される。近隣病院など５００は、情報受信端末５０１を所有しており、この情報受信端末５０１と健康管理サイト２００とがネットワークＮＷ２を介して接続される。
【００３９】
この健康管理サービスシステムにおいて、利用者１が赤外線センサ付電話機１００で測定した体温は（図８：ステップＳ２０１）、赤外線センサ付電話機１００の液晶画面１０３に表示されると共に（ステップＳ２０２）、赤外線センサ付電話機１００の送信機能（通信部１０９）により、健康管理サイト２００に体温データとして送信される。
【００４０】
健康管理サイト２００は、送信されてきた体温データを情報受信部２０１で受信し（ステップＳ２０３）、情報ＤＢ２０３に一定期間保存する（ステップＳ２０４）。この保存されている体温データは、利用者１と利用者１が登録した家族などの個人３００が、遠隔で確認することが可能である。
【００４１】
また、健康管理サイト２００は、送信されたきた体温データを登録されている利用者１の平熱データと照合する（ステップＳ２０５）。そして、この平熱データとの照合結果、すなわち登録されている平熱値と測定値との温度差から、「平熱時」、「微熱時」、「高熱時」を含めて発熱の有無を判断し（ステップＳ２０６）、「平熱時」、「微熱時」、「高熱時」に合わせた規定のメッセージや健康管理のアドバイスなどの健康情報を赤外線センサ付電話機１００に返信する（ステップＳ２０７）。
【００４２】
また、健康管理サイト２００は、平熱値と測定値との温度差から高熱など異常が確認された場合、利用者１だけではなく、登録されている家族などの個人３００へもその異常状態に合わせた健康情報を通知する（ステップＳ２０７）。この家族などの個人３００へ異常状態に合わせた健康情報を通知する機能が本発明でいう個人宛健康情報送信手段に相当する。これにより、家族、友人、知人などは、利用者１の安否を確認する行動を取ることができる（ステップＳ２０９）。
【００４３】
また、健康管理サイト２００は、平熱値と測定値との温度差から高熱など異常が確認された場合、利用者１だけではなく、登録されている医療機関４００へもその異常状態に合わせた健康情報を通知する（ステップＳ２１０）。この医療機関４００へ異常状態に合わせた健康情報を通知する機能が本発明でいう機関宛健康情報送信手段に相当する。これにより、利用者１は状況に即した対応を医療機関４００から受けることができる（ステップＳ２１１）。
【００４４】
また、健康管理サイト２００に登録されている医療機関４００と利用者１の所在地が遠隔であり、かつ、重体の可能性があるような場合には、健康管理サイト２００または医療機関４００から、利用者１が希望し登録している近隣病院など５００に緊急情報が送信される。これにより、利用者１は状況に即した対応を近隣病院など５００から迅速に受けることができる。
【００４５】
また、健康管理サイト２００に登録している利用者１に対して、体温測定時以外でも健康異常を感じた際には、利用者１から健康管理サイト２００に連絡をすることで、体温測定による異常時と同じ健康管理サービスを受けることもできる。
【００４６】
なお、上述した実施の形態では、登録された平熱値と測定値との温度差から「平熱時」、「微熱時」、「高熱時」を含めて発熱の有無を判断するようにしたが、必ずしも登録された平熱値と測定値との比較によらなくてもよく、過去のデータとを比較し、利用者の健康状態を判断するようにしてもよい。
【産業上の利用可能性】
【００４７】
本発明の赤外線センサ付電話機および健康管理サービスシステムは、利用者の体温を測定する機能を備えた赤外線センサ付電話機およびこの赤外線センサ付電話機を利用した健康管理サービスシステムとして、医療や介護などの様々な分野で利用することが可能である。
【符号の説明】
【００４８】
１…利用者、２…耳、３…鼓膜、１００（１００Ａ，１００Ｂ）…赤外線センサ付電話機、１０１…制御部、１０２…記憶部、１０３…液晶画面、１０４…音声発生部（スピーカーなど）、１０５…表示部、１０６…音声変換部、１０７…赤外線センサ、１０８…体温換算部、１０９…通信部、１１０…外部入力部、１１１…送受話器、１１２…受話部、２００…健康管理サイト、２０１…情報受信部、２０２…情報制御部、２０３…情報ＤＢ（データベース）、２０４…情報送信部、３００…家族などの個人、３０１…情報受信端末（電話など）、４００…医療機関、４０１…情報受信部、４０２…情報制御部、４０３…情報ＤＢ（データベース）、４０４…情報表示部、４０４…連絡手段（電話など）、５００…近隣病院など、５０１…情報受信端末（電話など）、ＮＷ１〜ＮＷ３…ネットワーク。
【図１】
2013005975.tif 000003
【図２】
2013005975.tif 000004
【図３】
2013005975.tif 000005
【図４】
2013005975.tif 000006
【図５】
2013005975.tif 000007
【図６】
2013005975.tif 000008
【図７】
2013005975.tif 000009
【図８】
2013005975.tif 000010